(57)【要約】【課題】着用者が肘付近に装着することで、煩雑な調整をしなくても肘を曲げて腕を大きく振る走行フォームを体得できる走行練習具を提供するものである。【解決手段】着用者の前腕に取付けるための伸縮性を有する前腕装着部と、前腕装着部に固定される発音体からなる走行練習具であって、発音体は、筒状の密閉空間を有する本体と、密閉空間内に可動状態で配置される中子とからなり、かつ、発音体は前腕の長さ方向に対して３０°乃至７０°傾斜するように装着部の手甲側または手掌側に固定されることを特徴とする走行練習具である。【選択図】図３
2015192868.tif 000002
【特許請求の範囲】
【請求項１】
着用者の前腕に取付けるための伸縮性を有する前腕装着部と、
前記前腕装着部に固定される発音体からなる走行練習具であって、
前記発音体は、筒状の密閉空間を有する本体と、前記密閉空間内に可動状態で配置される中子とからなり、
かつ、前記発音体は前腕の長さ方向に対して３０°乃至７０°傾斜するように前記前腕装着部の手甲側または手掌側に固定されることを特徴とする走行練習具。
【請求項２】
さらに、前記前腕装着部と接続する位置に、上腕部に装着する上腕装着部を含み、
前記前腕装着部と前記上腕装着部は、前記着用者の肘を屈曲させるように各々の挿通孔の中心線が平行ではないように接続していることを特徴とする請求項１の走行練習具。
【請求項３】
少なくとも前記前腕装着部と接する位置に、前記発音体を前記前腕装着部に固定するためのホルダーを有することを特徴とする、請求項１または請求項２の走行練習具。
【請求項４】
前腕装着部と、上腕装着部と、前記前腕装着部と前記上腕装着部に接するように設けられたホルダーと、前記ホルダーに挿入される発音体とからなる走行練習具であって、
前記前腕装着部が形成する挿通部と前記上腕装着部が形成する挿通部は、前記着用者の肘を屈曲させるように各々の挿通孔の中心線が交差するように接続されており、
前記ホルダーは、前腕の長さ方向に対して３０°乃至７０°傾斜するように配置され、
前記発音体は、円筒状の密閉空間を有する本体と、前記密閉空間内に可動状態で配置される中子とからなることを特徴とする走行練習具。
【請求項５】
前記発音体の一部は、前記ホルダーから露出している、請求項３または４に記載の走行練習具。
【請求項６】
前記ホルダーは、前記本体の側面に密着しており、かつ前記本体の端面に密着しない部分を有している、請求項３〜５の少なくともいずれか１項に記載の走行練習具。
【請求項７】
前記中子は、前記筒状の内部空間内に前記本体の長さ方向に可動状態で配置されている、請求項１〜６のいずれか１項に記載の走行練習具。
【請求項８】
前記前腕装着部が前記前腕に取り付けられた前記着用者が肘を曲げて腕を振ると、前記中子が前記筒状の密閉空間を有する前記本体の両端部のいずれかに衝突することにより衝突音が生じる、請求項１〜７のいずれか１項に記載の走行練習具。
【請求項９】
前記中子は、前記両端部のいずれかに衝突する凸状曲面を有している、請求項８に記載の走行練習具。
【請求項１０】
前記本体は、前記両端部の先端に形成された凹部を有している、請求項８または９に記載の走行練習具。
【請求項１１】
前記両端部の各々の端部は、互いに異なる厚みを有している、請求項８〜１０のいずれか１項に記載の走行練習具。
【請求項１２】
前記両端部の各々の端部は、互いに異なる材料からなっている、請求項８〜１１のいずれか１項に記載の走行練習具。
【発明の詳細な説明】
【技術分野】
【０００１】
本発明は好ましい走行フォームを指導するための走行練習具に関し、特に走行フォームが固まる前の子供に適した走行練習具である。
【背景技術】
【０００２】
子供のランニングフォームを指導する際には、肘を曲げていることと腕が振れていることが重要なポイントとなる。しかしながら子供に正しいフォームを覚えさせることは難しく、適正なランニングフォームに矯正するさまざまな用具が提供されている。例えば、特開平１０−２１６２８５号公報には、練習者の身体の任意の位置の運動を検出する運動検出手段と、運動を検出したとき音または音声を発する報知手段を備えたフォーム習得装置が提案されている。
【先行技術文献】
【特許文献】
【０００３】
【特許文献１】特開平１０−２１６２８５
【発明の概要】
【発明が解決しようとする課題】
【０００４】
しかしながら、上記公報に記載されたフォーム習得装置は、取り付け位置の運動は検出できるものの腕が曲げられているかどうかの検出はできないものである。また、運動検出手段と報知手段を別々に設けて両者を機械的または電気的に連結する必ものであるため子供の不規則な動きで連結が切れる恐れがある。さらには、それぞれの子供に適する腕の振りの大きさに合わせて報知手段を作動させるために、コントローラーで複雑な調整をする必要がある。
【０００５】
本発明は、上記課題を解決するためになされたものであり、着用者が肘付近に装着することで、煩雑な調整をしなくても肘を曲げて腕を大きく振る走行フォームを体得できる走行練習具を提供するものである。
【課題を解決するための手段】
【０００６】
本発明の第一の走行練習具は、着用者の前腕に取付けるための伸縮性を有する前腕装着部と、前腕装着部に固定される発音体からなる走行練習具であって、発音体は、筒状の密閉空間を有する本体と、密閉空間内に可動状態で配置される中子とからなり、かつ、発音体は前腕の長さ方向に対して３０°乃至７０°傾斜するように装着部の手甲側または手掌側に固定されることを特徴としている。
【０００７】
本発明の第二の走行練習具は、前腕装着部と接続する位置に、上腕部に装着する上腕装着部を含み、前腕装着部と上腕装着部は、着用者の肘を屈曲させるように各々の挿通孔の中心線が平行ではないように接続していることを特徴としている。
【０００８】
本発明の第三の走行練習具は、少なくとも前腕装着部と接する位置に、発音体を装着部に固定するためのホルダーを有することを特徴としている。
【０００９】
本発明の走行練習具では、腕の長さ方向に対して発音体が３０°乃至７０°傾斜させたことにより、着用者が肘を曲げて大きく腕を振ると衝突音が一定のリズムで生じるので着用者は肘を曲げた状態で腕が振れているかどうかを認識することができる。また腕を大きく振るほど音が大きくなるので腕の振りの大きさも認識することができる。
【００１０】
また、装着部は、前腕部に装着する挿通孔を形成する前腕装着部と、上腕部に装着する挿通孔を形成する上腕装着部とを含み、前腕装着部の挿通孔と上腕装着部の挿通孔は、着用者の肘を屈曲させるように各々の挿通孔の中心線が平行ではないように、肘を挟んで接続されている。このため着用者の肘は軽く曲がるように負荷がかかり、好ましい走行フォームに誘導することができる。
【００１１】
さらに、前腕装着部と接する位置に発音体を装着部に固定するためのホルダーを有しており、発音体をこのホルダーに収めることで上腕の長さ方向に対する発音体の角度を安定させることができる。
【００１２】
上記の走行練習具においては、好ましくは、発音体の一部は、ホルダーから露出している。このため、発音体の一部から外部に伝わる衝突音はホルダーによって遮られない。これにより、衝突音がこもらないようにすることができる。
【００１３】
上記の走行練習具においては、好ましくは、ホルダーは、本体の側面に密着しており、かつ本体の端面に密着しない部分を有している。したがって、ホルダーが本体の側面に密着するため、本体の軸方向の固定を確保することができる。さらに、ホルダーが本体の端面に密着しない部分を有しているため、本体の端面から外部に伝わる衝突音がホルダーによって遮られることを抑制できる。
【００１４】
上記の走行練習具においては、好ましくは、中子は、筒状の内部空間内に本体の長さ方向に可動状態で配置されている。このため、中子が筒状の内部空間内を本体の長さ方向に可動して本体の両端部に衝突することにより衝突音を生じさせることができる。
【００１５】
上記の走行練習具においては、好ましくは、前腕装着部が前腕に取り付けられた着用者が肘を曲げて腕を振ると、中子が筒状の密閉空間を有する本体の両端部のいずれかに衝突することにより衝突音が生じる。このため、前腕装着部が前腕に取り付けられた着用者が肘を曲げて腕を振ることにより、着用者は衝突音を認識することができる。
【００１６】
上記の走行練習具においては、好ましくは、中子は、両端部のいずれかに衝突する凸状曲面を有している。このため、凸状曲面は両端部に点で当たるため、衝突音を大きくすることができる。
【００１７】
上記の走行練習具においては、好ましくは、本体は、両端部の先端に形成された凹部を有している。このため、ホルダーにより両端部の先端が覆われても、凹部によりホルダーとの間に距離を確保できるため、衝突音がこもることを抑制できる。
【００１８】
上記の走行練習具においては、好ましくは、両端部の各々の端部は、互いに異なる厚みを有している。両端部の各々の端部において発生する衝突音を異ならせることができる。
【００１９】
上記の走行練習具においては、好ましくは、両端部の各々の端部は、互いに異なる材料からなっている。両端部の各々の端部において発生する衝突音を異ならせたり、片方の音が出ないようにすることができる。
【発明の効果】
【００２０】
以上説明したように、本発明の走行練習具によれば、音により好ましい走行フォーム、特に肘の曲がりと腕の振りの大きさを認識し好ましい走行フォームを体得できる。
【図面の簡単な説明】
【００２１】
【図１】本発明の第一の走行練習具の装着上面図である。
【図２】本発明の第二の走行練習具の装着側面図である。
【図３】本発明の第三の走行練習具の装着側面図である。
【図４】本発明の発音体の組立図（４ａ）と部品図（４ｂ）である。
【図５】本発明の一実施の形態の走行練習具の変形例１の構成を概略的に示す上面図である。
【図６】本発明の一実施の形態の走行練習具の変形例１の構成を概略的に示す側面図である。
【図７】本発明の一実施の形態の発音体の変形例２の構成を概略的に示す部分断面図である。
【発明を実施するための形態】
【００２２】
以下、本発明の実施の形態について図に基づいて説明する。
最初に本発明の一実施の形態の走行練習具の構成について説明する。
【００２３】
図１を参照して、本発明の第一の形態の走行練習具１は、着用者の前腕に取付けるための伸縮性を有する前腕装着部４と、前記前腕装着部４に固定される発音体２からなる走行練習具１である。前記前腕装着部４の寸法は、腕の長さ方向では２０ｍｍ以上２５０ｍｍ以下とされ、腕の周長方向では１００ｍｍ以上４００ｍｍ以下とされ得る。また前記前腕装着部４は少なくとも一部が伸縮性を有する生地や樹脂、皮革等で形成されてもよい。また前記前腕装着部４は予め挿通孔を形成するように筒状にされていても良いし、周長方向の開口部を面ファスナー６やバックル７等でサイズ調整をしながら繋いで挿通孔を形成するようにしても良い。
【００２４】
図４を用いて発音体２の構造を説明する。図４ａは発音体の組立図、図４ｂは発音体の部品図（斜視図）である。前記発音体２は、筒状の密閉空間１７を有する本体１５と、前記密閉空間内１７に可動状態で配置される中子１６とからなる。前記発音体２の外径は１０ｍｍ以上５０ｍｍ以下、発音体の長さは３０ｍｍ以上１３０ｍｍ以下とされ得る。本実施例では密閉空間１７は本体１５の螺子を切られた蓋を締めることで設けられているが、この方法に限られず、例えば貫通孔を有する本体１５の両端を板状部材で閉じてもよい。  
【００２５】
また、前記発音体２の本体は前腕の長さ方向に対して３０°乃至７０°傾斜するように袋状に前期発音体を包み込んだものを縫着や接着等の手段により前腕装着部４の外側（手甲側）に固定される。このように前記発音体２を取り付けることで、着用者が肘を曲げて適切なリズムで腕を振ると衝突音が一定のリズムで生じるから、着用者は肘を曲げた状態で腕が振れているかどうかを認識することができる。また腕を大きく振るほど音が大きくなるので腕の振りの大きさも認識することができる。
【００２６】
図２を参照して、本発明の第二の形態の走行練習具１は、着用者の前腕に取付けるための前腕装着部４に加えて、上腕部に装着する上腕装着部３を有している。前記上腕装着部３は前記前腕装着部４の肘に近い側の内側（手掌側）と外側（手甲側）に縫着等で接続されている。前記上腕装着部３は伸縮性を有する生地や樹脂、皮革等で形成されてもよい。またその寸法は、腕の長さ方向では１５ｍｍ以上３００ｍｍ以下とされ、腕の周長方向では１００ｍｍ以上４００ｍｍ以下とされ得る。また前記上腕装着部３は予め挿通孔を形成するように筒状にされていても良いし、周長方向の開口部を面ファスナーやバックル等でサイズ調整をしながら繋いで挿通孔を形成するようにしても良い。
【００２７】
この例では、前記前腕装着部４と前記上腕装着部３の挿通孔は略９０度となるように接続され、着用者の肘を曲げるように負荷がかかるので正しい走行フォームに誘導することができる。
【００２８】
また、前記発音体２の本体は前腕の長さ方向に対して３０°乃至７０°傾斜するように袋状に前期発音体を包み込んだものを縫着や接着等の手段により前腕装着部４の外側（手甲側）に固定される。このように前記発音体２を取り付けることで、着用者が肘を曲げて大きく腕を振ると衝突音が一定のリズムで生じるから、着用者は肘を曲げた状態で腕が振れているかどうかを認識することができる。また腕を大きく振るほど音が大きくなるので腕の振りの大きさも認識することができる。
【００２９】
図３を参照して、本発明の第三の形態の走行練習具１は、前腕装着部４と接する位置に発音体２を前記前腕装着部４に固定するためのホルダー５を有している。前記ホルダー５は伸縮性を有する生地や樹脂、皮革等で袋状に設けられ、袋の中心線（すなわちホルダー中心線１１）と前腕中心線が３０°乃至７０°となるように縫着や接着等により前記前腕装着部４及び前記上腕装着部に固定されている。また、前記ホルダーの一端は伸縮性を有する生地等で開閉可能かつ閉じた状態で固定可能となるように蓋を設けている。
【００３０】
前記発音体２を前記ホルダー５の中に挿入し、蓋を閉じた状態で固定すれば、着用者の前腕と前記発音体２の中心線の角度を３０°乃至７０°に固定することができる。このように前記発音体２を取り付けることで、着用者が肘を曲げて適切なリズムで腕を振ると衝突音が一定のリズムで生じるから、着用者は肘を曲げた状態で腕が振れているかどうかを認識することができる。また腕を大きく振るほど音が大きくなるので腕の振りの大きさも認識することができる。
【００３１】
【表１】
2015192868.tif 000003
【００３２】
表１は、ホルダー５（即ち発音体中心線）の取付け角度を着用者の前腕中心線に対して変化させ、走行フォームが安定している被験者に装着して走路を走らせて発音体の音圧を測定した結果である。角度は前腕中心線に対して発音体中心線が前上方に向う方向を正としている。また音圧は、被験者に装着した音圧測定器を発音体から１０ｃｍの距離で固定した状態で測定した。この結果によれば、着用者が発音体の音を認識するためにはおおよそ７０ｄｂ以上あればよく、そのためには前腕中心線とホルダー中心線のなす角度が３０°乃至７０°が好ましいことがわかる。
【００３３】
次に、本発明の一実施の形態の走行練習具の変形例について説明する。上記の本発明の一実施の形態の走行練習具と同一の要素については同一の符号を付し、その説明は繰り返さない。
【００３４】
図５および図６を参照して、本発明の一実施の形態の走行練習具の変形例１の構成について説明する。本発明の一実施の形態の走行練習具の変形例１では、上記の本発明の一実施の形態の走行練習具と比べてホルダー５の構成が主に異なっている。なお、図５は、着用者の前腕に取り付けられた走行練習具を着用者の肘の上側から見た状態を示す上面図である。また、図６は、着用者の前腕に取り付けられた走行練習具を着用者の肘の外側から見た状態を示す側面図である。
【００３５】
ホルダー５は、本体部５ａと、舌片部５ｂと、面ファスナー５ｃとを有している。本体部５ａは、発音体２を収容可能な収容部ＳＰを有している。本体部５ａは、本体部５ａの下端ＢＰに設けられた開口ＯＰを有している。開口ＯＰは収容部ＳＰに連通している。この開口ＯＰから収容部ＳＰに発音体２が挿入されている。また、本体部５ａは、本体部５ａの上端ＴＰの角部に設けられた切欠きＣＰを有している。舌片部５ｂは、本体部５ａの下端ＢＰに接続されている。舌片部５ｂは、開口ＯＰの一部を覆うように構成されている。舌片部５ｂは、本体部５ａの下端ＢＰから上端ＴＰ側に向かって折り返されている。
【００３６】
面ファスナー５ｃは、ループ部５ｃ１と、ループ部５ｃ１に着脱可能なフック部５ｃ２とを有している。ループ部５ｃ１およびフック部５ｃ２はそれぞれ長方形状を有している。ループ部５ｃ１は、本体部５ａの外面に取り付けられている。フック部５ｃ２は、舌片部５ｂの内面に取り付けられている。
【００３７】
舌片部５ｂが開口ＯＰの一部を覆うように本体部５ａの下端ＢＰから上端ＴＰ側に向かって折り返された状態で、ループ部５ｃとフック部５ｃ２とは互いに係合するように構成されている。発音体２がホルダー５の収容部ＳＰに挿入された状態で舌片部５ｂが折り返されてループ部５ｃ１とフック部５ｃ２とが係合することにより、発音体２がホルダー５に保持されている。ホルダー５は、本体部５ａ、舌片部５ｂおよび面ファスナー５ｃにより、発音体２がホルダー５から抜け落ちないように発音体２を保持している。
【００３８】
発音体２の一部は、ホルダー５から露出している。具体的には、発音体２の一部は切欠きＣＰから露出している。また、発音体２の一部は開口ＯＰと舌片部５ｂとの間から露出している。また、ホルダー５は、本体１５の側面に密着している。ホルダー５は、本体１５の端面に密着しない部分を有している。つまり、ホルダー５は本体１５の端面に緩く接触している部分を有している。
【００３９】
また、本発明の一実施の形態の走行練習具の変形例１では、上記の本発明の一実施の形態の走行練習具と比べて面ファスナー６およびバックル７の代わりにバンド８を備えている点でも異なっている。バンド８は前腕装着部４同士を接続している。このバンド８は伸縮自在に構成されている。バンド８はたとえばゴムからなっている。このため、バンド８によって着用者の腕の大きさに合わせてサイズ調整することができる。
【００４０】
次に、図７を参照して、本発明の一実施の形態の走行練習具の変形例２の構成について説明する。本発明の一実施の形態の走行練習具の変形例２では、上記の本発明の一実施の形態の走行練習具と比べて発音体２の構成が異なっている。なお、図７では、説明の便宜のため、中子１６については断面ではなく側面が示されている。
【００４１】
本体１５は、蓋部材１５ａと、貫通部材１５ｂとを有している。蓋部材１５ａは本体１５の両端に設けられている。蓋部材１５ａは、挿入部ＩＰと、フランジ部ＦＰと、凹部ＨＰと、凸部ＰＰとを有している。貫通部材１５ｂは、貫通孔ＴＨと、端面ＦＳとを有している。貫通部材１５ｂの貫通孔ＴＨを規定する内周面は曲面に形成されている。この内周面の断面形状は円である。つまり、貫通部材１５ｂは円筒形状を有している。端面ＦＳは円筒形状の軸方向の両端に形成されている。
【００４２】
蓋部材１５ａの挿入部ＩＰは、貫通部材１５ｂの貫通孔ＴＨに挿入されている。蓋部材１５ａのフランジ部ＦＰは、挿入部ＩＰが貫通孔ＴＨに挿入された状態で、貫通部材１５ｂの端面ＦＳに係止されている。蓋部材１５ａの凹部ＨＰは本体１５の軸方向に凹んでいる。凹部ＨＰは本体１５の径方向の中央に形成されている。
【００４３】
凸部ＰＰは本体１５の軸方向にフランジ部ＦＰから突出している。凸部ＰＰは本体１５の径方向において凹部ＨＰの外側に配置されている。凸部ＰＰは本体１５の径方向において外側に向かって高さが低くなる湾曲部ＰＢを有している。凸部ＰＰは複数形成されている。複数の凸部ＰＰはそれぞれ本体１５の周方向に間隔をあけて形成されている。複数の凸部ＰＰはそれぞれ本体１５の周方向に等間隔で配置されている。
【００４４】
貫通部材１５ｂの両端は蓋部材１５ａで封止されている。貫通部材１５ｂの貫通孔ＴＨに蓋部材１５ａの挿入部ＩＰが挿入された状態で、蓋部材１５ａは貫通部材１５ｂに接着剤により接着されている。貫通部材１５ｂは、たとえば押し出し成型により形成されている。内部空間１７の直径Ａは、直径Ａが小さすぎると衝突音が小さくなり、直径Ａが大きすぎると重くなりすぎるため、たとえば５ｍｍ以上３０ｍｍ以下が好ましい。内部空間１７の長さＢは、短すぎると中子１６の移動が少ないため衝突音が大きくならず、長すぎると疾走動作の邪魔になるため、たとえば２０ｍｍ以上１５０ｍｍ以下が好ましい。
【００４５】
中子１６は球状に形成されている。中子１６は、たとえばステンレスからなっている。また、中子１６は、鉄、アルミニウム、樹脂、ガラスなどからなっていてもよい。中子１６は、大きすぎると重くなりかけっこ運動を阻害し、小さすぎると衝突音が小さくなり着用者にフィードバックできないため、たとえば直径１５ｍｍに形成されている。同様の観点から中子１６は、たとえば直径３ｍｍ以上３０ｍｍ以下に形成されていることが好ましい。
【００４６】
中子１６は、筒状の内部空間１７内に本体１５の長さ方向に可動状態で配置されている。中子１６は、筒状の内部空間１７に沿って移動する。中子１６と内部空間１７の直径方向の側面との間隔は合計でたとえば１ｍｍである。
【００４７】
前腕装着部４が前腕に取り付けられた着用者が肘を曲げて腕を振ると、中子１６が筒状の密閉空間１７を有する本体１５の両端部のいずれかに衝突することにより衝突音が生じる。中子１６は本体１５の両端部の各々に交互に衝突する。これにより、中子１６が本体１５の両端部の各々に衝突する毎に衝突音が生じる。中子１６は、両端部のいずれかに衝突する凸状曲面を有している。
【００４８】
本体１５は、両端部の先端に形成された凹部ＨＰを有している。本体１５の両端部の各々の端部は、互いに異なる厚みを有していてもよい。また、本体１５の両端部の各々の端部は、互いに異なる材料からなっていてもよい。また、中子１６は円柱状に形成されていてもよい。さらに、中子１６は、側面が円柱状に形成されており、端面が凸状曲面に形成されていてもよい。
【００４９】
次に、本発明の一実施の形態の走行練習具の変形例の作用効果について説明する。
本発明の一実施の形態の走行練習具の変形例１によれば、発音体２の一部は、ホルダー５から露出している。このため、発音体２の一部から外部に伝わる衝突音はホルダー５によって遮られない。これにより、衝突音がこもらないようにすることができる。
【００５０】
また、本発明の一実施の形態の走行練習具の変形例１によれば、ホルダー５は、本体１５の側面に密着しており、かつ本体１５の端面に密着しない部分を有している。したがって、ホルダー５が本体１５の側面に密着するため、本体１５の軸方向の固定を確保することができる。さらに、ホルダー５が本体１５の端面に密着しない部分を有しているため、本体１５の端面から外部に伝わる衝突音がホルダー５によって遮られることを抑制できる。
【００５１】
本発明の一実地の形態の走行練習具の変形例２によれば、中子１６は、筒状の内部空間１７内に本体１５の長さ方向に可動状態で配置されている。このため、中子１６が筒状の内部空間１７内を本体１５の長さ方向に可動して本体１５の両端部に衝突することにより衝突音を生じさせることができる。
【００５２】
また、本発明の一実地の形態の走行連取具の変形例２によれば、前腕装着部４が前腕に取り付けられた着用者が肘を曲げて腕を振ると、中子１６が筒状の密閉空間１７を有する本体１５の両端部のいずれかに衝突することにより衝突音が生じる。このため、前腕装着部４が前腕に取り付けられた着用者が肘を曲げて腕を振ることにより、着用者は衝突音を認識することができる。
【００５３】
また、本発明の一実地の形態の走行連取具の変形例２によれば、中子１６は、両端部のいずれかに衝突する凸状曲面を有している。このため、凸状曲面は両端部に点で当たるため、衝突音を大きくすることができる。
【００５４】
また、本発明の一実地の形態の走行連取具の変形例２によれば、本体１５は、両端部の先端に形成された凹部ＨＰを有している。このため、ホルダー５により両端部の先端が覆われても、凹部ＨＰによりホルダー５との間に距離を確保できるため、衝突音がこもることを抑制できる。
【００５５】
また、本発明の一実地の形態の走行連取具の変形例２によれば、両端部の各々の端部は、互いに異なる厚みを有していてもよい。このため、両端部の各々の端部において発生する衝突音を異ならせることができる。
【００５６】
また、本発明の一実地の形態の走行連取具の変形例２によれば、両端部の各々の端部は、互いに異なる材料からなっていてもよい。このため、両端部の各々の端部において発生する衝突音を異ならせたり、片方の音が出ないようにすることができる。
【００５７】
なお、走行練習具は着用者の両腕に装着されてもよい。これにより、衝突音をリズム良く鳴らすことにより左右のバランスの崩れも認識することができる。
【産業上の利用可能性】
【００５８】
本発明は、走行フォームを体得させる練習具として適用が可能である。
【符号の説明】
【００５９】
１  走行練習具、２  発音体、３  上腕装着部、４  前腕装着部、５  ホルダー、６  面ファスナー、７  バックル、１０  前腕中心線、１１  ホルダー中心線、１２  上腕中心線、１５  本体、１６  中子。
【図１】
2015192868.tif 000004
【図２】
2015192868.tif 000005
【図３】
2015192868.tif 000006
【図７】
2015192868.tif 000007
【図４】
2015192868.tif 000008
【図５】
2015192868.tif 000009
【図６】
2015192868.tif 000010